(57)【要約】【課題】内型枠の内壁を確実に保持することができ、しかも、マンホールに落下させることのないようにしたマンホール蓋受枠の設置装置を提供する。【解決手段】本発明のマンホール蓋受枠の設置装置は、マンホール蓋受枠Ｂの下面と調整コンクリートブロックＤとの間に、流動式コンクリートＥを打込むに際し、前記打込み部位の内側に配置した内型枠Ｆの内面を保持できる複数個の円弧枠２を拡張・縮小可能に備えた支持体３と、該支持体３を前記マンホール蓋受枠Ｂの上縁Ｂ′に係留できる係留部材４とからなり、周囲の円弧枠２を縮小させた状態で内型枠Ｆの内面に設置でき、その設置時に支持体３を係留部材４でマンホール内に落下させない状態とし、しかも、設置後、円弧枠２を拡張させることにより内型枠Ｆをしっかり押圧して密閉保持できるように構成した。【選択図】図１
2013023835.tif 000002
【特許請求の範囲】
【請求項１】
マンホール蓋受枠の下面と調整コンクリートブロックとの間に、流動式コンクリートを打込むに際し、前記打込み部位の内側に配置した内型枠の内面を保持できる複数個の円弧枠を拡張・縮小可能に備えた支持体と、該支持体を前記マンホール蓋受枠の上縁に係留できる係留部材とからなることを特徴とするマンホール蓋受枠の設置装置。
【請求項２】
前記支持体が、前記円弧枠の内面側に水平方向に設けた筒状枠に通したリング状の主枠と、該主枠の内側に梁部材を介して同レベルに設けた内枠とからなり、前記筒状枠の内壁と前記主枠との間に拡張方向に付勢されたバネ材を介装し、かつ、前記筒状枠の上面及び下面の透孔を通して前記円弧枠と前記主枠との間に楔体を介装したことを特徴とする請求項１に記載のマンホール蓋受枠の設置装置。
【請求項３】
前記係留部材が、前記主枠と内枠との間の梁部材に、基端部を立ち上がり及び横臥可能に軸支したレバーの先端部に、横臥時に上縁となる面にフック片を設けたことを特徴とする請求項１又は２に記載のマンホール蓋受枠の設置装置。
【発明の詳細な説明】
【技術分野】
【０００１】
本発明は、道路下のマンホールに通じる縦穴の上部に、蓋が道路面に沿うようにマンホール蓋受枠を設置する際に、該蓋受枠の下面と調整コンクリートブロックとの間に、流動式コンクリートを打込むときに使用する内型枠を、その内面から確実に密閉保持できるようにしたマンホール蓋受枠の設置装置に関するものである。
【背景技術】
【０００２】
従来、道路下のマンホールに通じる縦穴の上部に、蓋が道路面に沿うように蓋の高さや傾きを調整する工法として特開２００３−１４７７９４号があった。この工法によると、マンホール蓋受枠の下面と、上部コンクリートブロックとの間に、流動式コンクリートを打込むときに、その打込み部位の内側及び外側に沿って内型枠及び外型枠を配置することと、外型枠側から流動式コンクリートを打込むようにしたことの記載がある。
【特許文献１】特開２００３−１４７７９４号公報
【発明の開示】
【発明が解決しようとする課題】
【０００３】
しかしながら、上記工法では内型枠の保持についての記載がない。もちろん、外型枠は土圧を利用すれば確実に保持できるが、内型枠はマンホールに通じる縦穴を跨いで複数個所を支えることになるが、設置に多くの労力と時間が掛かったばかりでなく、支え部材などを、縦穴を通してマンホール内に落下させるおそれがあった。また、内型枠の支えが不十分（不確実）であると、流動式コンクリートがコンクリートブロックと内型枠の隙間からマンホールに通じる縦穴の内面に垂れ、その壁面を汚すことがあった。
【０００４】
本発明は、上記の問題を解消したもので、その目的とするところは、部材などをマンホール内に落下させることがなく、内型枠の内壁を確実に密閉保持することができ、しかも、設置のための労力と時間を節約できるようにしたマンホール蓋受枠の設置装置を提供することにある。
【課題を解決するための手段】
【０００５】
上記の目的を達成するため、本発明のマンホール蓋受枠の設置装置は、マンホール蓋受枠の下面と調整コンクリートブロックとの間に、流動式コンクリートを打込むに際し、前記打込み部位の内側に配置した内型枠の内面を保持できる複数個の円弧枠を拡張・縮小可能に備えた支持体と、該支持体を前記マンホール蓋受枠の上縁に係留できる係留部材とからなることを特徴とし、周囲の円弧枠を縮小させた状態で内型枠の内面に設置でき、その設置時に支持体を係留部材でマンホール内に落下させない状態とし、しかも、設置後、円弧枠を拡張させることにより内型枠をしっかり押圧して密閉保持できるように構成した。
【０００６】
また、請求項２に記載のマンホール蓋受枠の設置装置は、前記支持体が、前記円弧枠の内面側に水平方向に設けた筒状枠に通したリング状の主枠と、該主枠の内側に梁部材を介して同レベルに設けた内枠とからなり、前記筒状枠の内壁と前記主枠との間に拡張方向に付勢されたバネ材を介装し、かつ、前記筒状枠の上面及び下面の透孔を通して前記円弧枠と前記主枠との間に楔体を介装したことを特徴とし、円弧枠をバネ材の作用で通常では縮小した状態にし、内型枠の内壁にセットした後、楔体により拡大方向に移動させて前記内型枠を確実に押圧保持できるように構成した。
【０００７】
さらに、請求項３に記載のマンホール蓋受枠の設置装置は、前記係留部材が、前記主枠と内枠との間の梁部材に、基端部を立ち上がり及び横臥可能に軸支したレバーの先端部に、横臥時に上縁となる面にフック片を設けたことを特徴とし、片手で支持体を支持し、他方の手で横臥していた係留部材を立ち上げつつ蓋受枠の上縁に引っ掛けることができるように構成した。
【発明の効果】
【０００８】
本発明によれば、マンホール蓋受枠の下面と調整コンクリートブロックとの間に、流動式コンクリートを打込むに際し、内型枠の内面を保持できる複数個の円弧枠を拡張・縮小可能に備えた支持体を、マンホール内に落下させない状態で内型枠の内面に設置でき、しかも、設置後、円弧枠を拡大させて内型枠をしっかり密閉保持できる。したがって、設置しようとするマンホール蓋受枠をマンホール内に落下させることがないばかりでなく、内型枠を確実に支持することから流動式コンクリートを垂らして縦穴の内壁を汚すことがない等の各種の優れた効果を奏するものである。
【０００９】
また、請求項２の発明によれば、円弧枠はバネ材の作用で縮小した状態を保ち、内型枠の内面において、楔体の作用によりバネ材に抗して円弧枠を拡大できるという優れた効果を奏するものである。
【００１０】
また、請求項３の発明によれば、片手で支持体を支持し、他方の手で横臥していた係留部材を立ち上げることによりマンホール蓋受枠の上縁に容易に引っ掛けることができるという優れた効果を奏するものである。
【発明を実施するための最良の形態】
【００１１】
次に、本発明の実施の態様を添付図面に基づいて説明する。図１は本願設置装置の平面図、図２は本願設置装置の斜視図、図３はバネ材と楔体の作用を示し、（ａ）は円弧枠の縮小時、（ｂ）は円弧枠の拡大時、図４は本願設置装置をセットした場合の側面断面図、図５は円弧枠を拡大した状態を示す本願設置装置の側面断面図、図６はセットに当たって本願設置装置を持ち上げでいる斜視図、図７はマンホール蓋受枠とマンホールの上部構造を示す縦断面図である。
【００１２】
図１、図２において、１は本願設置装置である。本願設置装置１は、図７の如く、マンホール（図示せず）に通じる縦穴Ａの上部に、マンホール蓋受枠Ｂをその蓋（図示せず）が道路面Ｃに沿うように高さ（傾き）を調整して設置するために使用するものである。すなわち、本願設置装置１は、前記マンホール蓋受枠Ｂの下面と、調整コンクリートブロックＤとの間に、流動式コンクリートＥを打込むときに、その打込み部位の内側に沿って配置した内型枠（通常、内壁をステンレス板、主部を２０ｍｍ厚のエラスタイトとした複合材）Ｆをその内面から保持することによりマンホール蓋受枠Ｂの設置作業を効率良く行えるようにする。なお、前記流動式コンクリートＥの打込み部位の外側には土圧により保持された外型枠Ｇが配置される。該外型枠Ｇの一部には、流動式コンクリートＥを矢印の如く流し込むための樋体Ｈが作成されている。
【００１３】
前記本願設置装置１は、周囲に複数個（図面上では６個）の円弧枠（外方に膨む）２を拡大・縮小可能に備えた支持体３と、該支持体３を、図４、図５の如く、前記マンホール蓋受枠Ｂの上縁Ｂ′に係留できる係留部材とからなる。
【００１４】
前記円弧枠２は、その縮小時には、前記内型枠Ｆの内径より若干小さくなり、拡大時には、前記内型枠Ｆを、流動式コンクリートＥの打込み部位、すなわち、マンホール蓋受枠Ｂの下面と、調整コンクリートブロックＤとの間を密閉するように強く押しつけることができるようになっている。つまり、１つ１つの円弧枠２は、適当な手段（後記する手段には限らない）により拡張・縮小可能になっている。
【００１５】
前記支持体３は、前記円弧枠２の内面に水平方向に設けた筒状枠２１に通したリング状の主枠３１と、該主枠３１の内側に梁部材３２を介して同レベルに設けた内枠３３とからなる。前記主枠３１は、複数個の円弧ブロックをボルト／ナットにより径が調整できるように円形に結合（接続）している。すなわち、前記内型枠Ｆの内径（内型枠の素材の厚さにより異なる）に合わせて主枠３１の径が決定できるようになっている。前記内枠３３は、前記主枠３１に梁部材３２を介して連繋しているもので、梁部材３２自体が頑強であるため、後記するレバー４１を軸支する構造材として、或いは、後記する把持棒６を支持する構造材として利用できる。
【００１６】
前記筒状枠２１の内面と前記主枠３１との間には拡張方向に付勢されたバネ材２２が介装されている。該バネ材２２は、該筒状枠２１を主枠３１から離す方向に突っ張っているため、筒状枠２１と一体の各円弧枠２は、縮小されている。
【００１７】
一方、前記筒状枠２１の上面及び下面には円弧枠２に接して透孔２３が設けられ、該透孔２３には、図３（ａ）、（ｂ）の如く、楔体５が貫通している。該楔体５は前記円弧枠２と前記主枠３１との間には介装されているもので、その外縁、すなわち、前記各円弧枠２の背面（内面）に接する側は直線５１となり、内縁、すなわち、前記主枠３１の外側に接する側は、傾斜部５２を中央にし、上が高部５３、下が低部５４になっている。
【００１８】
前記楔体５は、これを図３（ａ）の如く、上方に移動させ、その低部５４が主枠３１に接した位置では、前記バネ材２２が拡張方向に働き、前記筒状枠２１を、図において右方向に付勢するから、各円弧枠２の内面は内型枠Ｆから離れる方向（縮小状態）になる。
【００１９】
一方、前記楔体５を、図３（ｂ）の如く、下方に移動させ、その高部５３が主枠３１に接した位置では、前記主枠３１により押されて楔体の直線５１は各円弧枠２の内面を図において左方向（拡大方向）に押すから、各円弧枠２は前記バネ材２２に抗して内型枠Ｆの内面を外向きに圧迫するようになる。
【００２０】
前記楔体５は、平時には、その傾斜部５２と低部５４の境界部を、図３（ａ）の如く、前記主枠３１の肩部に乗せて静止した状態（各円弧枠２を縮小させた状態）に保っているもので、ニュートラル状態にある。また、楔体５の上下端部には、前記筒状枠２１の上面又は下面の透孔２３に接して止めるストッパ体５５が貫通状に設けられている。このストッパ体５５は、楔体５をマンホール内に落下させないための手段である。
【００２１】
前記係留部材４は、前記主枠３１と前記内枠３３との間に渡設した近接した２つの梁部材３２、３２間に、基端部を立ち上がり及び横臥可能に軸支したレバー４１の先端部の外面（横臥時の上向き面）にフック片４２を忍び返し状に突設してなる。このフック片４２は、前記レバー４１を立ち上げると、前記マンホール蓋受枠Ｂの上縁Ｂ′に係留できるように対向する。このレバー４１の内面側（横臥時の下向き面）には、金属丸棒を凹状に曲げてなる把持環４３を設け、この把持環４３を、図６の如く、握って立ち上げることにより前記マンホール蓋受枠Ｂの上縁Ｂ′にフック片４２を係留し易くしている。
【００２２】
また、前記主枠３１と前記内枠３３との間に渡設した広幅に対向した２つの梁部材３２、３２間には、図６の如く、握れるように把持棒６が水平に設けられている。この把持棒６は、前記把持環４３とともに、本願設置装置１を持ち上げるためのものである。
【００２３】
前記本願設置装置１には、図１、図２の如く、T形具７が含まれている。このT形具７は、通常では、その先端部７１を前記内枠３３に固設した鞘体８に差し込まれ、邪魔にならないように水平に納まっている。このT型具７は、その頭部７３を把持し、先端部７１を鞘体８から抜き、前記楔体５を下向きに押し込むこと、又は押し込まれた楔体５の上端部のストッパ体５５に、先端部７１を引っ掛けて上向きに引き上げるように使用するものであるが、その使用中にマンホールに落下しないように、前記内枠３３との間に連繋具（紐体や鎖体）７２を介して連繋されている。なお、T型具７の先端部７１は、その端縁が図１の破線の如く凹形になり、前記楔体５の上端縁も凹形になっている。これはT型具７の頭部７３を把持して、図５の如く、楔体５を下向きに押し込むときに、凹形同士が互いに噛み合って滑らないようにし、押し込み作業を安全かつ楽に行えるようにしている。
【００２４】
図４は、前記内型枠Ｆの内面に、本願設置装置１を、設置（セット）した状態であり、楔体５は、図３（ａ）と同様にニュートラル状態になっている。図５は、前記楔体５の総てを、前記T形具７の頭部７３を把持し、その先端部７１で下向きに押し下げた状態を示している。この状態では、前記円弧枠２は外方に押し出され、内型枠Ｆを確実に圧迫させている状態である。
【００２５】
以下、本願設置装置１の作用について説明する。まず、図７の如く、マンホール（図示せず）に通じる縦穴Ａの上部に、マンホール蓋受枠Ｂの下面と、調整コンクリートブロックＤとの間の内側に内型枠Ｆを当てる。外側には外型枠Ｇが土圧により保持し、該外型枠Ｇの一部に流動式コンクリートＥを流し込む樋体Ｈを作成する。
【００２６】
次いで、本願設置装置１を、把持棒６を左手で握り、レバー４１の把持環４３を右手で握って持ち上げる。このときレバー４１は立ち上がった状態になるから、先端部に設けたフック片４２をマンホール蓋受枠Ｂの上縁Ｂ′に引っ掛ける。一つのフック片４２がマンホール蓋受枠Ｂの上縁Ｂ′に係留された後、空いた右手により総てのレバー４１のフック片４２をマンホール蓋受枠Ｂの上縁Ｂ′に引っ掛けると、レバー４１の長さは共通であることから本願設置装置１は、内型枠Ｆの内面において水平に保たれる。
【００２７】
次に、本願設置装置１の内枠３３に固設した鞘体８に先端部を差し込んでいたT形具７を抜き、その端縁の凹形を、前記楔体５の上端の凹形に噛み合わせて下向きに押し込む。これにより楔体５は確実に押し込まれて各円弧枠２を拡大方向に付勢し、前記内型枠Ｆを外方へ圧迫させて確実に抑えるようになる。
【００２８】
次いで、外型枠Ｇの一部に設けた樋体Ｈより流動式コンクリートＥを流し込むと、該流動式コンクリートＥは、マンホール蓋受枠Ｂの下面と、調整コンクリートブロックＤとの間に流入するが、前記内型枠Ｆは各円弧枠２の拡大により外方へ強く圧迫させられているため、調整コンクリートブロックＤと内型枠Ｆの間が密閉され、流入した流動式コンクリートＥがマンホールに通じる縦穴Ａに漏れ、内壁を汚すことがない。
【００２９】
前記流動式コンクリートＥの養生後、本願設置装置１を取り外こととなるが、この取り外しには、前記T形具７の先端部を、前記楔体５の上端部に貫通しているストッパ体５５の下に潜り込ませてから上向きに力を加えれば楔体５は上動し、内型枠Ｆを外方へ向けて圧迫していた円弧枠２をバネ材２２の作用で縮小方向に付勢される。前記T形具７を用いて上動させるのは、３個程度であって残りの楔体５は素手により上動させ得る。しかる後、把持軸６とレバー４３を握って本願設置装置１を持ち上げるようにして内型枠Ｆから取り外すこととなる。
【産業上の利用可能性】
【００３０】
本願設置装置は、マンホール蓋受枠の下面と調整コンクリートブロックとの間に、流動式コンクリートを打込むに際し、装置本体などをマンホール内に落下させない状態で、労力時間を少なくして内型枠をしっかり密閉保持させることができ、流動式コンクリートが漏れてマンホールに通じる縦穴の内壁を汚すこともなく、道路上にマンホール蓋受枠を設置する土木業者をはじめ、ビル床に配線孔や空気孔を設置する建築業者など産業上広く利用することができる技術である。
【図面の簡単な説明】
【００３１】
【図１】本願設置装置の平面図である
【図２】本願設置装置の斜視図である。
【図３】バネ材と楔体の作用で、（ａ）は円弧枠の縮小時、（ｂ）は円弧枠の拡大時である。
【図４】本願設置装置をセットした場合の側面断面図である。
【図５】円弧枠を拡大した状態の本願設置装置の側面断面図である。
【図６】セットに当たって本願設置装置を持ち上げでいる斜視図である。
【図７】マンホール蓋受枠とマンホールの上部構造を示す縦断面図である。
【符号の説明】
【００３２】
１  本願設置装置
２  円弧枠
２１  筒状枠
２２  バネ材
２３  透孔
３  支持体
３１  主枠
３２  梁部材
３３  内枠
４  係留部材
４１  レバー
４２  フック片
４３  把持環
５  楔体
５１  直線
５２  傾斜部
５３  高部
５４  低部
５５  ストッパ体
６  把持軸
７  T形具
７１  先端部
７２  連繋具（紐体や鎖体）
７３  頭部
８  鞘体
Ａ  縦穴
Ｂ  マンホール蓋受枠
Ｂ′  上縁
Ｃ  道路面
Ｄ  調整コンクリートブロック
Ｅ  流動式コンクリート
Ｆ  内型枠
Ｇ  外型枠
Ｈ  樋体
【図１】
2013023835.tif 000003
【図２】
2013023835.tif 000004
【図３】
2013023835.tif 000005
【図４】
2013023835.tif 000006
【図５】
2013023835.tif 000007
【図６】
2013023835.tif 000008
【図７】
2013023835.tif 000009